(57)【要約】  ハウジング（１１０）、コネクタ位置保証（ＣＰＡ）要素（１１８）、およびアクチュエータ（１６２）を有する電気コネクタを含むコネクタシステムが提供される。ハウジングは、相手コネクタを受け取るソケット（１０６）を画定する。ＣＰＡ要素は、解放位置とロック位置との間でハウジングに対して摺動可能である。アクチュエータは、ＣＰＡ要素と動作可能に係合してハウジングに取り付けられる。アクチュエータは、相手コネクタがソケット内へ装入されると、阻止位置から通過可能位置へ動かされる。阻止位置にあるアクチュエータは、ＣＰＡ要素が解放位置とロック位置との間で動かされるのを機械的に阻止する。通過可能位置にあるアクチュエータは、ＣＰＡ要素を解放位置とロック位置との間で動かすことを可能にする。アクチュエータは、相手コネクタがハウジング内に完全に装入されたことに応答して、通過可能位置に到達する。【選択図】図３
2019505070.tif 000002
【特許請求の範囲】
【請求項１】
前端（１２８）を有し、前記前端に、相手コネクタ（１０２）を受け取るように構成されたソケット（１０６）を画定するハウジング（１１０）と、
前記ハウジングに取り付けられ、前記ハウジングに対して解放位置とロック位置との間で摺動可能であるコネクタ位置保証（ＣＰＡ）要素（１１８）であって、ベース（２１２）および少なくとも前記ベースから延びる第１のランナ（２１４）を含む、ＣＰＡ要素と、
前記ＣＰＡ要素と動作可能に係合して前記ハウジングに取り付けられたアクチュエータ（１６２）とを備え、
前記アクチュエータが、少なくとも第１の脚部（１９２）を有し、前記アクチュエータが、阻止位置と通過可能位置との間で可動であり、前記アクチュエータが前記阻止位置にあるとき、前記アクチュエータの前記第１の脚部が前記第１のランナに係合して、前記ＣＰＡ要素が前記解放位置と前記ロック位置との間で動かされるのを機械的に阻止し、前記アクチュエータが前記通過可能位置にあるとき、前記ＣＰＡ要素が前記解放位置と前記ロック位置との間で可動であり、
前記相手コネクタが前記ソケット内へ装入されると、前記アクチュエータが前記相手コネクタによって前記阻止位置から前記通過可能位置へ動かされ、前記アクチュエータが、前記相手コネクタが前記ハウジング内に完全に装入されたことに応答して、前記通過可能位置に到達する、
電気コネクタ（１０４）。
【請求項２】
前記ハウジング（１１０）は、前記相手コネクタが前記ソケット内へ装入されると、前記相手コネクタ（１０２）のリブ（１２４）によって前記ソケット（１０６）から離れる方へ偏向される偏向可能な１次ラッチ（１２０）をさらに含み、ラッチ面（２５８）を有する前記１次ラッチは、前記相手コネクタが前記ソケット内に完全に装入されると、前記リブのキャッチ面（１３６）に係合して、前記相手コネクタを前記ハウジングに固定するように構成されている、請求項１に記載の電気コネクタ（１０４）。
【請求項３】
前記アクチュエータ（１６２）は、前記相手コネクタが前記ソケット（１０６）内へ装入されると、前記相手コネクタ（１０２）の前記リブ（１２４）によって係合され、前記アクチュエータは、前記相手コネクタが前記ソケット内に完全に装入されたとき、前記リブの前記キャッチ面（１３６）が前記１次ラッチ（１２０）の前記ラッチ面（２５８）に係合すると、前記リブの上面（１３８）によって前記通過可能位置で保持される、請求項２に記載の電気コネクタ（１０４）。
【請求項４】
前記解放位置にある前記ＣＰＡ要素（１１８）は、前記第１のランナ（２１４）の遠位端（２２４）と前記ベース（２１２）との間に配置された支点（２６０）の周りで前記ハウジング（１１０）に対して旋回可能であり、前記第１のランナは、前記遠位端と前記支点との間にラグ（２３０）を含み、前記ラグは、前記１次ラッチ（１２０）の下に延び、前記ベースを下方へ動かすことで、前記ＣＰＡ要素が旋回し、それにより前記ラグは、前記相手コネクタ（１０２）の前記リブ（１２４）の上へ前記１次ラッチを持ち上げて、前記相手コネクタを前記ハウジングに固定することまたは前記相手コネクタを前記ハウジングから外すことのうちの少なくとも１つを行う、請求項２に記載の電気コネクタ（１０４）。
【請求項５】
前記１次ラッチ（１２０）は、前記ハウジング（１１０）のプラットホーム（１８０）から外方に突出する肩部（２５４）から延び、前記支点（２６０）は、前記第１のランナ（２１４）から前記１次ラッチと前記プラットホームとの間に延びる前記ＣＰＡ要素（１１８）のペグ（２６６）である、請求項４に記載の電気コネクタ（１０４）。
【請求項６】
前記ＣＰＡ要素（１１８）の前記第１のランナ（２１４）は、前記ハウジング（１１０）のプラットホーム（１８０）に沿って摺動し、前記アクチュエータ（１６２）の前記第１の脚部（１９２）は、前記アクチュエータが前記阻止位置にあり、前記ＣＰＡ要素が前記解放位置にあるとき、前記第１のランナの経路内で前記プラットホームに係合し、それにより前記第１の脚部は、前記ＣＰＡ要素の前記第１のランナの遠位端（２２４）が前記解放位置から前記ロック位置の方へ動くのを阻止し、前記第１の脚部は、前記アクチュエータが前記通過可能位置にあるとき、前記プラットホームから垂直に隔置され、それにより前記第１のランナの前記遠位端が前記第１の脚部の下で前記ロック位置の方へ摺動することが可能である、請求項１に記載の電気コネクタ（１０４）。
【請求項７】
前記ＣＰＡ要素（１１８）が前記ロック位置にあるとき、前記第１のランナ（２１４）の前記遠位端（２２４）は、前記アクチュエータ（１６２）の前記第１の脚部（１９２）を越えて配置され、前記第１の脚部（１９２）の底部（２０６）が、前記遠位端と前記ＣＰＡ要素の前記ベース（２１２）との間で前記第１のランナの上面（２１８）に係合する、請求項６に記載の電気コネクタ（１０４）。
【請求項８】
前記第１のランナ（２１４）は、前記遠位端（２２４）と前記ＣＰＡ要素（１１８）の前記ベース（２１２）との間で前記第１のランナの上面（２１８）から突出する戻り止め（２２２）を含み、前記戻り止めは、前記ＣＰＡ要素が前記第１の脚部の下で前記解放位置から前記ロック位置の方へ摺動すると、前記第１の脚部（１９２）の底部（２０６）に係合し、前記戻り止めは、前記ＣＰＡ要素が前記ロック位置にあるとき、前記第１の脚部を越えて配置される、請求項６に記載の電気コネクタ（１０４）。
【請求項９】
前記アクチュエータ（１６２）は、前記第１の脚部（１９２）の外面（２０４）から突出する棚状部（２０２）を含み、前記ハウジング（１１０）は、前記棚状部の上部（２０８）に係合するカンチレバービーム（１８４）を含み、前記カンチレバービームは、前記アクチュエータを前記阻止位置の方へ付勢する、請求項１に記載の電気コネクタ（１０４）。
【請求項１０】
前記ハウジング（１１０）の前記ソケット（１０６）は、嵌合軸（１１２）に沿って、前記相手コネクタ（１０２）が前記嵌合軸に沿って前記ソケット内に装入されるように向けられており、前記ＣＰＡ要素（１１８）は、前記解放位置と前記ロック位置との間で前記嵌合軸に対して平行に摺動し、前記アクチュエータ（１６２）は、前記阻止位置と前記通過可能位置との間で垂直軸（１９１）に沿って動き、前記垂直軸は前記嵌合軸に直交している、請求項１に記載の電気コネクタ（１０４）。
【発明の詳細な説明】
【技術分野】
【０００１】
本明細書の主題は、一般にコネクタシステムに関し、より詳細にはコネクタ位置保証を提供するコネクタシステムに関する。
【背景技術】
【０００２】
コネクタシステムには、第１のコネクタを第２のコネクタに嵌合して第１のコネクタおよび第２のコネクタをともに固定するとき、結合機構が使用されるものがある。第１のコネクタおよび第２のコネクタは、これらのコネクタを引き離し、互いに嵌合されているときコネクタ間に形成される導電経路を破断しようとする力にこのコネクタシステムが確実に耐えられるように、ともに固定される。いくつかの実施形態では、結合機構は、一方のコネクタ上のラッチが相手コネクタのキャッチに係合して２つのコネクタを完全に嵌合させることによって画定される。
【０００３】
導電経路内の破断による動作エラーを回避するために、それぞれのコネクタシステム内の嵌合されたコネクタが互いに完全に嵌合されることを確実にすることが重要である。コネクタシステムは、たとえば自動車などの複雑な工業製品に使用されることがある。コネクタシステム内のコネクタが自動車の組立て中に互いに完全に嵌合されない場合、導電経路内の破断によって最終的に引き起こされるエラーは、発見するのが困難になり、ならびに／または修理するのが困難かつ高価になる可能性がある。たとえば、自動車内の障害のあるコネクタにアクセスするのが困難になる可能性がある。
【発明の概要】
【発明が解決しようとする課題】
【０００４】
サイズが小さいことおよび導体が遮蔽されていることなどの物理的な特徴により、組立て設備で２つの相手コネクタがともに完全に嵌合されたかどうかを作業者（さらには機械）が正確に識別するのは困難になる可能性がある。たとえば、互いに完全に嵌合されていない２つのコネクタは、コネクタの完全な嵌合位置からほとんどずれていないことがあり、これを作業者および／または機械が識別するのは困難になる可能性がある。コネクタによって画定される導電経路内の破断によって引き起こされるエラーを回避するために、２つのコネクタが互いに完全に嵌合されているという保証を提供するコネクタシステムが、依然として必要とされている。
【課題を解決するための手段】
【０００５】
解決策は、ハウジング、コネクタ位置保証（ＣＰＡ）要素、およびアクチュエータを含む本明細書に記載する電気コネクタによって提供される。ハウジングは、前端を有し、相手コネクタを受け取るように構成されたソケットを前端に画定する。ＣＰＡ要素は、ハウジングに取り付けられる。ＣＰＡ要素は、解放位置とロック位置との間でハウジングに対して摺動可能である。ＣＰＡ要素は、ベースと、少なくともベースから延びる第１のランナとを含む。アクチュエータは、ＣＰＡ要素と動作可能に係合してハウジングに取り付けられる。アクチュエータは、少なくとも第１の脚部を有する。
アクチュエータは、阻止位置と通過可能位置（ｃｌｅａｒａｎｃｅ  ｐｏｓｉｔｉｏｎ）との間で可動である。アクチュエータの第１の脚部は、アクチュエータが阻止位置にあるとき、第１のランナに係合して、ＣＰＡ要素が解放位置とロック位置との間で動かされるのを機械的に阻止する。ＣＰＡ要素は、アクチュエータが通過可能位置にあるとき、解放位置とロック位置との間で可動である。アクチュエータは、相手コネクタがソケット内へ装入されると、相手コネクタによって阻止位置から通過可能位置へ動かされる。アクチュエータは、相手コネクタがハウジング内に完全に装入されたことに応答して、通過可能位置に到達する。
【０００６】
本発明について、添付の図面を参照しながら例として次に説明する。
【図面の簡単な説明】
【０００７】
【図１】一実施形態によって形成されるコネクタシステムの斜視図である。
【図２】一実施形態によるコネクタシステムのメスコネクタの部分分解図である。
【図３】一実施形態による組立て状態におけるメスコネクタのハウジングアセンブリの斜視図である。
【図４】嵌合前段階におけるメスハウジングのプラットホームに対するアクチュエータおよびＣＰＡ要素の概略側面図である。
【図５】初期嵌合段階におけるメスハウジングのプラットホームに対するアクチュエータおよびＣＰＡ要素の概略側面図である。
【図６】最終嵌合段階におけるメスハウジングのプラットホームに対するアクチュエータおよびＣＰＡ要素の概略側面図である。
【図７】嵌合前段階におけるハウジングアセンブリの一部分の側面図である。
【図８】図３に示す線８−８に沿った嵌合前段階におけるハウジングアセンブリの一部分の断面図である。
【図９】図３に示す線９−９に沿った嵌合前段階におけるハウジングアセンブリの一部分の断面図である。
【図１０】一実施形態によってコネクタシステムのオスコネクタのオスハウジングがメスコネクタのハウジングアセンブリ内に装入される一部分の断面図である。
【図１１】図３に示す線９−９に沿った最終嵌合段階におけるハウジングアセンブリおよびオスハウジングの一部分の断面図である。
【図１２】図３に示す線８−８に沿った最終嵌合段階におけるハウジングアセンブリおよびオスハウジングの一部分の断面図である。
【図１３】最終嵌合段階におけるハウジングアセンブリの一部分の側面図である。
【図１４】ハウジングアセンブリの代替実施形態による図３に示す線８−８に沿った嵌合前段階におけるハウジングアセンブリの一部分の断面図である。
【発明を実施するための形態】
【０００８】
本明細書に記載する１つまたは複数の実施形態は、コネクタ位置保証（ＣＰＡ）要素を含む電気コネクタを有するコネクタシステムを提供する。ＣＰＡ要素は、解放位置とロック位置との間で可動である。たとえば、ＣＰＡ要素は、解放位置からロック位置へまたロック位置から解放位置へ動くことができる。ＣＰＡ要素は、相手電気コネクタが電気コネクタへ完全に嵌合されたことに応答した場合のみ、解放位置とロック位置との間で可動になるように構成される。たとえば、相手電気コネクタが電気コネクタと完全に嵌合されるまで、ＣＰＡ要素は、特定の実施形態に応じて、解放位置からロック位置へまたはロック位置から解放位置へ動くのが制限される。ＣＰＡ要素は、コネクタシステムを組み立てている作業者またはロボットに感覚（たとえば、触覚、視覚、聴覚など）フィードバックを提供することによって、電気コネクタが完全に嵌合されていることを検証するために使用される。
【０００９】
図１は、一実施形態によって形成されるコネクタシステム１００の斜視図である。コネクタシステム１００は、第１の電気コネクタ１０２および第２の電気コネクタ１０４を含む。図示の実施形態では、第１の電気コネクタ１０２はオスコネクタであり、第２の電気コネクタ１０４はメスコネクタであり、それにより第１の電気コネクタ１０２の一部分が、嵌合操作中に第２の電気コネクタ１０４のソケット１０６内に受け取られる。より具体的には、第１のコネクタ１０２のオスハウジング１０８が、第２のコネクタ１０４のメスハウジング１１０によって画定されたソケット１０６内に受け取られる。図１には嵌合されていない状態で示されているが、第１のコネクタ１０２および第２のコネクタ１０４は、嵌合軸１１２に沿って嵌合することができる態勢が整っている。本明細書では、第１の電気コネクタ１０２は、オスコネクタ１０２または相手コネクタ１０２と呼ばれ、第２の電気コネクタ１０４は、メスコネクタ１０４またはコネクタ１０４と呼ばれる。
【００１０】
コネクタシステム１００は、自動車産業、家庭用電気機器産業、航空機産業などの様々な産業にわたって多数の適用分野において、２つ以上のデバイスおよび／または電気構成要素を電気的に結合するために使用することができる。たとえば、自動車産業では、無線周波通信のために、電気コネクタ１０２、１０４を使用して、アンテナをコントローラおよび／または処理デバイスに電気的に接続することができる。
【００１１】
オスコネクタ１０２およびメスコネクタ１０４はそれぞれ、異なる電気構成要素に電気的に接続され、対応する電気構成要素間の導電経路を提供する。図示の実施形態では、オスコネクタ１０２は、プリント回路基板１１４の縁部に取り付けられ、メスコネクタ１０４は、同軸ケーブルなどの導電ケーブルまたはワイヤ１１６に電気的に接続される。代替実施形態では、メスコネクタ１０４は、回路基板に取り付けることができ、かつ／またはオスコネクタ１０２は、ケーブルに終端させることができる。プリント回路基板１１４およびケーブル１１６はそれぞれ、コネクタ１０２、１０４が嵌合されると互いに係合するそれぞれのコネクタ１０２、１０４の電気コンタクト（図示せず）に電気的に終端（たとえば、圧着、はんだなど）される。電力、制御、データなどを伝える様々な電気信号は、コネクタ１０２、１０４を通ってプリント回路基板１１４とケーブル１１６との間で伝送することができる。
【００１２】
メスコネクタ１０４は、直角の形状を有するが、メスコネクタ１０４によって画定される角度は約９０°である必要はない。たとえば、オスコネクタ１０２がソケット１０６内へ装入される嵌合軸１１２は、ケーブル１１６がメスコネクタ１０４から出る向きに概ね直交している。この直角の形状により、メスコネクタ１０４は、嵌合軸１１２に沿って制限された長さを有する。したがって、オスコネクタ１０２およびメスコネクタ１０４が嵌合操作中に完全に嵌合されたかどうかを検証するために使用されるコネクタ位置保証（ＣＰＡ）デバイスを設置するための長さに沿って利用可能な領域は制限される。
【００１３】
メスコネクタ１０４のメスハウジング１１０は、前端１２８と後端１３０との間に延びる。前端１２８は、オスコネクタ１０２の方を向いている嵌合端である。ソケット１０６は、メスハウジング１１０を通って前端１２８と後端１３０との間に延びる。ソケット１０６は、前端１２８で開いている。１つまたは複数の実施形態では、メスコネクタ１０４は、メスハウジング１１０に取り付けられたＣＰＡ要素１１８を含む。ＣＰＡ要素１１８は、ソケット１０６と一直線になるのではなく、ソケット１０６から径方向外方に配置される。ＣＰＡ要素１１８は、図示の向きでソケット１０６の上に配置される。ＣＰＡ要素１１８は、メスハウジング１１０の偏向可能な１次ラッチ１２０に動作可能に結合される。１次ラッチ１２０は、オスコネクタ１０２のキャッチ１２２に係合してメスハウジング１１０をオスコネクタ１０２に固定するように構成される。
１次ラッチ１２０とキャッチ１２２との間の係合は、コネクタ１０２、１０４を引き離す通常使用に付随する力を吸収して耐えるように設計される。１次ラッチ１２０は、ソケット１０６に対して径方向に偏向するように構成される。１次ラッチ１２０は、オスコネクタ１０２がソケット１０６内へ装入されるとき、オスハウジング１０８との係合に応答して偏向することができる。追加または別法として、１次ラッチ１２０は、以下でより詳細に説明するように、ＣＰＡ要素１１８の旋回または回転により偏向することができる。
【００１４】
オスハウジング１０８は、嵌合端１３２と後端１３４との間に延びる。オスハウジング１０８はソケット１０６内に装入され、それによりまず嵌合端１３２がソケット１０６内に受け取られる。後端１３４は、ソケット１０６に入っても入らなくてもよい。図示の実施形態では、オスハウジング１０８は、概ね円筒形の形状を有するノーズコーンである。オスハウジング１０８は、その外面１２６から突出するリブ１２４を含む。リブ１２４は、１次ラッチ１２０に係合するように構成される。リブ１２４は、キャッチ１２２を画定するキャッチ面１３６を含む。キャッチ面１３６は、後端１３４の方を向いている。リブ１２４は、オスコネクタ１０２が装入されるとき、１次ラッチ１２０を偏向させることができる。
たとえば、リブ１２４の上面１３８は、オスコネクタ１０２が嵌合軸１１２に沿って完全な装入位置の方へ動くにつれて、１次ラッチ１２０の偏向を徐々に増大させる傾斜１４０を画定することができる。オスハウジング１０８はまた、外面１２６から突出する少なくとも１つのキー突起１４２を含む。各キー突起１４２は、嵌合操作中にオスハウジング１０８がメスハウジング１１０と適切に位置合わせされることを確実にするために、ソケット１０６内の対応するキー溝１４４内に受け取られるように構成される。
【００１５】
図２は、一実施形態によるメスコネクタ１０４の部分分解図である。メスコネクタ１０４は、ハウジングアセンブリ１４６およびコンタクトアセンブリ１４８を含む。図示の実施形態では、ハウジングアセンブリ１４６は分解されており、コンタクトアセンブリ１４８はそのままである。ハウジングアセンブリ１４６は、メスハウジング１１０と、ＣＰＡ要素１１８と、アクチュエータ１６２と、任意選択の保持クリップ１６４とを含む。コンタクトアセンブリ１４８は、中央コンタクト（図示せず）と、中央コンタクトを取り囲む誘電体１５０と、誘電体１５０を取り囲む外側コンタクト１５２と、前部シールド１５４と、後部シールド１５６とを含むことができる。誘電体１５０は、中央コンタクトと外側コンタクト１５２との間の絶縁を提供する。
前部シールド１５４および後部シールド１５６は導電性であり、コネクタ１０４を通って伝送される信号の信号品質を劣化させうるクロストークなどの電磁干渉を低減させるためのシールドを提供する。コンタクトアセンブリ１４８は、前部シールド１５４および後部シールド１５６ならびにケーブル１１６の外装１６０の周りに圧着されたフェルール１５８によって、ケーブル１１６に終端される。フェルール１５８はまた、ケーブル１１６のケーブル編組（図示せず）の周りに圧着させることができる。
【００１６】
コネクタ１０４は、後端１３０を通ってコンタクトアセンブリ１４８のコンタクト部分１６６をメスハウジング１１０内へ挿入することによって組み立てられる。コンタクト部分１６６は、中央コンタクト、誘電体１５０、および外側コンタクト１５２を含む。コンタクト部分１６６は、オスコネクタ１０２がソケット１０６内へ完全に装入されたとき、オスコネクタ１０２（図１に示す）の対応する構成要素に係合してオスコネクタ１０２およびメスコネクタ１０４を電気的に接続するように構成される。保持クリップ１６４は、コンタクトアセンブリ１４８をハウジング１１０に固定するために、コンタクト部分１６６に続いてメスハウジング１１０内へ挿入される。たとえば、保持クリップ１６４は、前部シールド１５４のフランジ１６８に係合してコンタクト部分１６６をハウジング１１０内に保持することができる。
【００１７】
ハウジング１１０、ＣＰＡ要素１１８、およびアクチュエータ１６２の構成要素について、以下で詳細に説明する。これらの構成要素の相互運用性については、後続の図を参照して説明する。一実施形態では、ハウジング１１０、ＣＰＡ要素１１８、およびアクチュエータ１６２は電気絶縁性であり、プラスチックなどの１つまたは複数の誘電体材料から構成される。別法として、ＣＰＡ要素１１８および／またはアクチュエータ１６２は導電性であり、１つまたは複数の金属から構成される。ハウジング１１０、ＣＰＡ要素１１８、およびアクチュエータ１６２は、成形工程から形成することができる。
【００１８】
ハウジング１１０は、底壁１７０と、第１の側壁１７２と、反対側の第２の側壁１７４とを含む。ハウジング１１０の上端１７６は、少なくとも部分的に開いている。本明細書では、「上」、「底」、「前」、「後」、「第１」、および「第２」などの相対的または空間的な用語は、コネクタシステム１００の参照要素を区別するためだけに使用されており、重力の方向および／またはコネクタシステム１００の周囲環境に対する特定の位置または向きを必要とするものではない。ハウジング１１０は、ソケット１０６の上（たとえば、ソケット１０６と上端１７６との間）にラッチ区間１７８を画定する。１次ラッチ１２０と、アクチュエータ１６２およびＣＰＡ要素１１８の両方とが（ハウジング１１０に取り付けられたとき）は、ラッチ区間１７８内に配置される。
プラットホーム１８０がラッチ区間１７８をソケット１０６から分離し、それによりプラットホーム１８０は１次ラッチ１２０とソケット１０６との間に配置される。プラットホーム１８０は、前端１２８から後方へ延びるノッチ１８２を画定する。ノッチ１８２は、オスハウジング１０８がソケット１０６に入るとき、オスハウジング１０８（図１）のリブ１２４（図１に示す）を収容するように構成される。
【００１９】
ハウジング１１０はまた、第１の側壁１７２および第２の側壁１７４のそれぞれに沿ってカンチレバービーム１８４を含む。各カンチレバービーム１８４は、それぞれの側壁１７２、１７４に取り付けられた固定端１８６から、それぞれの側壁１７２、１７４に取り付けられていない遠位自由端１８８へ延びる。図示の実施形態では、自由端１８８は、固定端１８６が前端１２８に近接するより、ハウジング１１０の前端１２８に近接して配置される。任意選択で、カンチレバービーム１８４は、それぞれの側壁１７２、１７４に一体形成される。たとえば、個別のビームを壁１７２、１７４上へ結合するのではなく、カンチレバービーム１８４は、壁１７２、１７４のうちビーム１８４を取り囲む部分を除去することによって形成される。したがって、カンチレバービーム１８４は、それぞれの壁１７２、１７４内に画定された窓１９０内へ延びる。
カンチレバービーム１８４は、それぞれの窓１９０内でハウジング１１０に対して偏向するように構成される。代替実施形態では、第１の側壁１７２または第２の側壁１７４のうち両方ではなく一方のみが、カンチレバービーム１８４を含む。
【００２０】
アクチュエータ１６２は、第１の脚部１９２および第２の脚部１９４を含む。第１の脚部１９２および第２の脚部１９４はどちらも、横棒１９６から延びる。たとえば、脚部１９２、１９４は、横棒１９６の両側の第１の端部１９８および第２の端部２００から延びることができる。脚部１９２、１９４は、互いに対して概ね平行に、横棒１９６から概ね同じ方向に延びるように向けられている。脚部１９２、１９４は、横棒１９６の長さに沿って互いに隔置され、それにより脚部１９２、１９４は、１次ラッチ１２０にまたがるように構成される。一実施形態では、脚部１９２、１９４はそれぞれ、それぞれの脚部１９２、１９４の外面２０４から外方に突出する棚状部２０２を含む。棚状部２０２は、それぞれの脚部１９２、１９４の底部（または遠位端）２０６に近接して配置される。
ハウジング１１０に取り付けられたとき、第１の脚部１９２の外面２０４は、第１の側壁１７２の方を向いており、第１の脚部１９２の棚状部２０２は、第１の側壁１７２の窓１９０内に受け取られる。カンチレバービーム１８４は、第１の側壁１７２に沿って、第１の脚部１９２の棚状部２０２の上部２０８に係合し、付勢力を印加する。図示しないが、第２の脚部１９４の棚状部２０２は同様に、第２の側壁１７４に沿ってカンチレバービーム１８４に係合することができる。
【００２１】
一実施形態では、アクチュエータ１６２は、第１の脚部１９２と第２の脚部１９４との間に配置されたポスト２１０をさらに含む。ポスト２１０は、横棒１９６から脚部１９２、１９４とほぼ同じ方向に延びる。ポスト２１０は、嵌合操作中にオスコネクタ１０２（図１）のリブ１２４（図１に示す）によって係合されるように構成される。
【００２２】
ＣＰＡ要素１１８は、ベース２１２と、ベース２１２から延びる第１のランナ２１４および第２のランナ２１６とを含む。ランナ２１４、２１６は、同一でないにしても類似の、互いを映した形状を有する。ランナ２１４、２１６は、互いに対して概ね平行に、ベース２１２から概ね同じ方向に延びる。ベース２１２は、少なくとも部分的に湾曲させることができる球状のこぶのような構造である。ベース２１２の大きい湾曲構造は、本明細書により詳細に説明するように、操作者がＣＰＡ要素１１８を作動（たとえば、摺動および／または旋回）させるためにＣＰＡ要素１１８を把持および／または保持するための接触箇所を提供する。第１のランナ２１４および第２のランナ２１６は、ハウジング１１０に取り付けられるときに１次ラッチ１２０にまたがるように、互いに隔置される。第１のランナ２１４および第２のランナ２１６は、アクチュエータ１６２の第１の脚部１９２および第２の脚部１９４を分離する距離にほぼ等しい距離だけ隔置される。
各ランナ２１４、２１６は、上面２１８と、反対側の底面２２０とを有する。底面２２０は、ハウジング１１０のプラットホーム１８０に沿って接触および摺動するように構成される。上面２１８は、起伏のある表面を有する。たとえば、上面２１８は、それぞれのランナ２１４、２１６の遠位端２２４に近接して戻り止め２２２を含む。上面２１８はまた、戻り止め２２２とベース２１２との間に配置された段２２６を画定する。上面２１８のうち戻り止め２２２と段２２６との間の領域は、座部２２８を画定する。座部２２８は、本明細書により詳細に説明するように、対応する脚部１９２、１９４の底部２０６を収容するように構成される。
【００２３】
各ランナ２１４、２１６の少なくとも一部分は、対向するランナ２１４、２１６の方へ延びる。一実施形態では、ランナ２１４、２１６はどちらも、対向するランナ２１４、２１６の方へ延びる部分を画定するラグ２３０を含む。図２では、第２のランナ２１６のラグ２３０だけを見ることができる。ラグ２３０は、ラグ２３０がベース２１２に近接するより、それぞれのランナ２１４、２１６の遠位端２２４に近接して配置される。ラグ２３０は、対向するランナ２１４、２１６の方を向いているそれぞれのランナ２１４、２１６の内面２３２から突出する。ＣＰＡ要素１１８をハウジング１１０に取り付けるとき、ラグ２３０は、ラッチ１２０とプラットホーム１８０との間で１次ラッチ１２０の下へ延びるように構成される。
【００２４】
図示の実施形態では、アクチュエータ１６２は２つの脚部１９２、１９４を含み、ＣＰＡ要素１１８は２つのランナ２１４、２１６を含む。しかし代替実施形態では、アクチュエータ１６２は１つの脚部のみを含むことができ、ＣＰＡ要素１１８は１つのランナのみを含むことができる。
【００２５】
図３は、一実施形態による組立て状態におけるハウジングアセンブリ１４６の斜視図である。ハウジングアセンブリ１４６は、垂直または仰角軸１９１、横軸１９３、および嵌合軸１１２に対して向けられている。軸１９１、１９３、１１２は相互に直交している。仰角軸１９１は、重力に対して概ね平行に延びているように見えるが、軸１９１、１９３、１１２は重力に対していかなる特定の向きも有する必要はないことを理解されたい。
【００２６】
アクチュエータ１６２およびＣＰＡ要素１１８は、ラッチ区間１７８内でハウジング１１０に取り付けられる。１次ラッチ１２０は、横軸１９３に沿って第１の側壁１７２と第２の側壁１７４との間で概ね中央に位置する。アクチュエータ１６２の第１の脚部１９２（図２に示す）および第２の脚部１９４は、１次ラッチ１２０にまたがり、それにより第１の脚部１９２は、ラッチ１２０と第１の側壁１７２との間に配置され、第２の脚部１９４は、ラッチ１２０と第２の側壁１７４との間に配置される。ＣＰＡ要素１１８の第１のランナ２１４（図２に示す）および第２のランナ２１６もまた、１次ラッチ１２０にまたがる。一実施形態では、１次ラッチ１２０は、ラッチ１２０を通ってラッチ１２０の上面２３８から底面２４０へ延びる開口２３６を画定する。開口２３６は、嵌合軸１１２に沿って細長い。横棒１９６は、１次ラッチ１２０の上面２３８の上に配置される。アクチュエータ１６２のポスト２１０は、開口２３６内へ下方に延びる。
【００２７】
アクチュエータ１６２は、阻止位置（図３、図４、および図７〜９に示す）と通過可能位置（図５、図６、および図１０〜１３に示す）との間でハウジング１１０に対して可動である。図３で、アクチュエータ１６２は阻止位置にある。アクチュエータ１６２は、阻止位置と通過可能位置との間で垂直に動くように構成される。たとえば、第１の側壁１７２および第２の側壁１７４はそれぞれ、垂直軸１９１に沿って延びる溝２３４を画定する。溝２３４は、第１の脚部１９２および第２の脚部１９４のうちの対応する一方の脚部を受け取る。溝２３４は、垂直軸１９１に沿ってアクチュエータ１６２の動きを可能にしながら嵌合軸１１２および横軸１９３に沿ってアクチュエータ１６２の動きを防止するように、アクチュエータ１６２に対するトラックを画定する。
【００２８】
ＣＰＡ要素１１８は、解放位置（図３〜５および図７〜１０に示す）とロック位置（図６および図１１〜１３に示す）との間でハウジング１１０に対して可動である。図３で、ＣＰＡ要素１１８は解放位置にある。ＣＰＡ要素１１８は、嵌合軸１１２に沿って解放位置とロック位置との間で動くように構成される。ＣＰＡ要素１１８のランナ２１４、２１６は、プラットホーム１８０に沿って摺動する。ＣＰＡ要素１１８は、操作者がベース２１２を押すまたは引くことによってなど、操作者の介入を介して動かされる。
【００２９】
一実施形態では、オスコネクタ１０２（図１に示す）がメスハウジング１１０のソケット１０６内に完全に装入されていないとき、アクチュエータ１６２は阻止位置にあり、ＣＰＡ要素１１８は解放位置にある。たとえば、アクチュエータ１６２は阻止位置の方へ付勢される。アクチュエータ１６２が阻止位置にあるとき、アクチュエータ１６２は、ＣＰＡ要素１１８が解放位置からロック位置へ動くのを機械的に阻止する。したがって、ＣＰＡ要素１１８は解放位置からロック位置へ動くことができない。オスコネクタ１０２が嵌合軸１１２に沿ってソケット１０６内へ装入されると、オスコネクタ１０２はアクチュエータ１６２に係合し、アクチュエータ１６２を阻止位置から通過可能位置の方へ動かす。
アクチュエータ１６２は、オスコネクタ１０２がハウジング１１０に対して完全な装入位置に到達するまで、通過可能位置に到達しない。完全な装入位置で、オスコネクタ１０２はメスコネクタ１０４（図１に示す）に適切に接続される。たとえば、１次ラッチ１２０は、オスコネクタ１０２が完全な装入位置に入るまで、リブ１２４（図１）のキャッチ面１３６（図１に示す）に係合しない。
【００３０】
アクチュエータ１６２が通過可能位置にあるとき、アクチュエータ１６２は、ＣＰＡ要素１１８が解放位置からロック位置へ動くのを阻止しない。したがって、操作者は、ＣＰＡ要素１１８をロック位置へ動かすことが可能になる。アクチュエータ１６２は、オスコネクタ１０２（図１に示す）がメスハウジング１１０内に完全に装入されたときのみ通過可能位置に入るため、ＣＰＡ要素１１８は、オスコネクタ１０２が完全に装入されたときに解放位置からロック位置へ可動になる。したがって、オスコネクタ１０２とメスコネクタ１０４（図１に示す）との間の嵌合操作後にＣＰＡ要素１１８をロック位置へ動かすことが可能であるということは、コネクタ１０２、１０４が互いに完全かつ適切に嵌合されていることを意味する。
図示の実施形態では、ＣＰＡ要素１１８がロック位置にあるという状態が、コネクタ１０２、１０４が完全かつ適切に嵌合されているという保証を提供するため、ＣＰＡ要素１１８のロック位置は、コネクタシステム１００（図１に示す）の保証位置を表す。ＣＰＡ要素１１８の動きは、視覚的（ロック位置にあるＣＰＡ要素１１８を見る）、触覚的（ＣＰＡ要素１１８がロック位置へ動くのを感じる）、および／または聴覚的（ＣＰＡ要素１１８がロック位置へ動くのを聞く）に示すものなど、感覚的な知らせを操作者にもたらす。代替実施形態では、図１４を参照して以下に説明するように、ＣＰＡ要素１１８は、最初にロック位置に位置することができ、アクチュエータ１６２が通過可能位置に到達するとロック位置から解放位置へ動くことができる。この代替実施形態では、ＣＰＡ要素１１８の解放位置が、コネクタシステム１００の保証位置を表す。
【００３１】
図４〜６は、一実施形態による嵌合操作中の様々な段階におけるメスハウジング１１０（図３に示す）のプラットホーム１８０に対するアクチュエータ１６２およびＣＰＡ要素１１８の概略側面図を示す。図示の側面図では、アクチュエータ１６２の第１の脚部１９２のみを見ることができる。同様に、ＣＰＡ要素１１８の第１のランナ２１４およびベース２１２のみを見ることができる。第１の脚部１９２および第１のランナ２１４に関する以下の説明は、第２の脚部１９４（図２に示す）および第２のランナ２１６（図２）にも適用することができる。
【００３２】
図４は、オスコネクタ１０２（図１に示す）がメスハウジング１１０（図３）に嵌合される前の嵌合前段階を示す。アクチュエータ１６２は阻止位置にあり、ＣＰＡ要素１１８は解放位置にある。アクチュエータ１６２が阻止位置にあるとき、脚部１９２はプラットホーム１８０上に位置し、それにより脚部１９２の底部２０６はプラットホーム１８０の上面２４２に係合する。脚部１９２は、ランナ２１４の経路内に位置する。したがって、ＣＰＡ要素１１８を解放位置からロック位置へ動かそうとすると、ランナ２１４の遠位端２２４が脚部１９２の第１の側面２４４に当接するはずであり、ＣＰＡ要素１１８がロック位置の方へさらに動くのを機械的に阻止する。
【００３３】
図５は、オスコネクタ１０２（図１に示す）がメスハウジング１１０（図３）に完全に嵌合される初期嵌合段階を示す。オスコネクタ１０２は、アクチュエータ１６２を阻止しない方向２４６（垂直軸１９１に対して平行）に阻止位置から通過可能位置へ垂直に動かしている。オスコネクタ１０２はまた、アクチュエータ１６２を通過可能位置で支持および保持する。たとえば、オスハウジング１０８（図１）のリブ１２４（破線で示す）は、アクチュエータ１６２のポスト２１０（図２）に係合し、アクチュエータを持ち上げて保持する。通過可能位置で、脚部１９２の底部２０６は、ランナ２１４の少なくとも一部分が脚部１９２の下を通ることを可能にするのに十分な高さだけ、プラットホーム１８０から垂直に隔置される。図５の初期嵌合段階では、ＣＰＡ要素１１８がロック位置へ動くことが可能にされているが、ＣＰＡ要素１１８は解放位置に留まっている。
【００３４】
図６は最終嵌合段階を示す。アクチュエータ１６２は通過可能位置にあり、ＣＰＡ要素１１８はロック位置にある。ＣＰＡ要素１１８は、嵌合軸１１２に対して平行なロック方向２４８に解放位置からロック位置へ動かされている（操作者または機械による）。図示の実施形態では、ＣＰＡ要素１１８のランナ２１４は、脚部１９２がランナ２１４の座部２２８と位置合わせされるまで、脚部１９２の底部２０６の下へプラットホーム１８０に沿って摺動する。たとえば、ランナ２１４の遠位端２２４および戻り止め２２２はどちらも、脚部１９２の第２の側面２５０（第１の側面２４４とは反対側）を越えて突出する。戻り止め２２２は、戻り止め２２２が脚部１９２を通ると、脚部１９２の底部２０６に係合して、触覚および／または聴覚フィードバックを操作者に提供することができる。アクチュエータ１６２は下方へ付勢され、したがって脚部１９２の底部２０６は、座部２２８でランナ２１４の上面２１８に係合する。
ランナ２１４の段２２６は、第１の側面２４４に係合して、ＣＰＡ要素１１８がロック方向２４８にさらに動くのを防止するハードストップを提供することができる。戻り止め２２２は、脚部１９２の第２の側面２５０に係合して、ＣＰＡ要素１１８が意図せず解放位置へ戻るのを制限するソフトストップを提供するように構成することができる。戻り止め２２２によって提供されるソフトストップは、ＣＰＡ要素１１８をロック位置から解放位置へ意図的に動かすことを可能にするのに十分な力によって乗り越えられるように構成される。
【００３５】
図７〜９は、図４に概略的に示す嵌合前段階におけるハウジングアセンブリ１４６の部分の様々な図を示し、アクチュエータ１６２は阻止位置にあり、ＣＰＡ要素１１８は解放位置にある。図７は、ハウジングアセンブリ１４６の一部分の側面図である。図８は、図３に示す線８−８に沿ったハウジングアセンブリ１４６の一部分の断面図である。図９は、図３に示す線９−９に沿ったハウジングアセンブリ１４６の一部分の断面図である。
【００３６】
図７を参照すると、ハウジング１１０の第１の側壁１７２のカンチレバービーム１８４は、アクチュエータ１６２の第１の脚部１９２から突出する棚状部２０２に係合する。自由端１８８は、棚状部２０２の上部２０８に係合し、ハウジング１１０の底壁１７０（図２に示す）の方へ下方向２５２の付勢力を印加する。カンチレバービーム１８４は、アクチュエータ１６２を阻止位置の方へ付勢する。カンチレバービーム１８４は、図１３に示すように、アクチュエータ１６２がオスコネクタ１０２（図１に示す）によって通過可能位置へ持ち上げられると、上方へ偏向するように構成される。カンチレバービーム１８４は、嵌合操作全体にわたって、また嵌合操作後も、棚状部２０２との係合を維持する。
【００３７】
図８の断面は、アクチュエータ１６２の第１の脚部１９２およびＣＰＡ要素１１８の第１のランナ２１４を通って延びる。図示の実施形態は、図４に示す概略図に類似している。図８に示すように、第１の脚部１９２は、第１のランナ２１４の経路内でハウジング１１０のプラットホーム１８０に係合し、それによりＣＰＡ要素１１８は脚部１９２の第１の側面２４４を越えてロック方向２４８に動くことができなくなる。
【００３８】
図９を次に参照すると、断面は、アクチュエータ１６２のポスト２１０、ハウジング１１０の１次ラッチ１２０、およびＣＰＡ要素１１８のベース２１２を通って延びる。第２のランナ２１６を見ることができるが、第１のランナ２１４（図２に示す）は見ることができない。図示の実施形態では、ハウジング１１０は、ハウジング１１０の後端１３０でプラットホーム１８０から延びる肩部２５４を含む。１次ラッチ１２０は、肩部２５４から前方へ延び、プラットホーム１８０から隔置される。１次ラッチ１２０は、図９に示すように、偏向していない位置にあるとき、プラットホーム１８０に対して概ね平行に延びる。ポスト２１０は、１次ラッチ１２０の開口２３６内に受け取られる。ポスト２１０の底部２５６は、プラットホーム１８０から１次ラッチ１２０の底面２４０とほぼ同じ高さに配置される。１次ラッチ１２０は、オスコネクタ１０２（図１）のキャッチまたはキャッチ面１３６（図１に示す）に係合するラッチ面２５８を有する。
図示の実施形態では、ラッチ面２５８は、ハウジング１１０の後端１３０の方を向いている開口２３６の前壁である。ラッチ面２５８は、開口２３６内でポスト２１０の方を向いている。１次ラッチ１２０は、アクチュエータ１６２が前端１２８に近接するより、ハウジング１１０の前端１２８に近接して延び、したがってオスコネクタ１０２は、アクチュエータ１６２に係合する前に、１次ラッチ１２０の前端２７０に係合し、または少なくとも前端２７０を越えて延びるように構成される。ポスト２１０は、ラッチ面２５８に近接しており、それによりオスコネクタ１０２は、キャッチ面１３６がラッチ面２５８に係合すると同時にポスト２１０に係合する。
【００３９】
図９に示すように、ＣＰＡ要素１１８のベース２１２は、ＣＰＡ要素１１８が解放位置にあるとき、ハウジング１１０の後端１３０を越えて延びる。一実施形態では、ＣＰＡ要素１１８は、ハウジング１１０に対して旋回可能である。ＣＰＡ要素１１８は、ベース２１２とランナ２１６の遠位端２２４との間に配置された支点２６０の周りを旋回する。ランナ２１６のうち支点２６０と遠位端２２４との間の部分は、１次ラッチ１２０の下に延びる。図示の実施形態では、１次ラッチ１２０の下に延びる部分は、ラグ２３０である。ベース２１２にかかる下向きの力はＣＰＡ要素１１８を旋回させ、それによりベース２１２は下向きの弧２６２を描いて動き、ラグ２３０は上向きの弧２６４を描いて動く。ラグ２３０は、１次ラッチ１２０の底面２４０に係合し、ラッチ１２０をプラットホーム１８０から離れて上方へ持ち上げる。
一実施形態では、支点２６０は、ランナ２１６の内面２３２から延びるＣＰＡ要素１１８のペグ２６６である。支点２６０として働くことに対する追加または代替として、ペグ２６６は、肩部２５４の後壁２６８に当接して、ＣＰＡ要素１１８が後ろ方向に利用可能に動くのを制限するハードストップを提供するように構成することができる。ペグ２６６は、ＣＰＡ要素１１８が旋回するとき、１次ラッチ１２０の底面２４０、プラットホーム１８０の上面２４２、および／または肩部２５４の後壁２６８に係合することができる。代替実施形態では、ＣＰＡ要素１１８のペグ２６６を使用するのではなく、支点２６０は、ハウジング１１０の構成要素とすることができる。
【００４０】
図１０は、一実施形態によってオスコネクタ１０２（図１に示す）のオスハウジング１０８がメスコネクタ１０４（図１）のハウジングアセンブリ１４６内に装入される一部分の断面図である。断面は、図３に示す線９−９に沿ったものである。オスハウジング１０８がソケット１０６（図１に示す）内に装入されると、リブ１２４はプラットホーム１８０のノッチ１８２内に受け取られる。リブ１２４が嵌合軸１１２（図１に示す）に沿って嵌合方向２７２に動くと、リブ１２４の傾斜１４０は１次ラッチ１２０を上方へ偏向させる。たとえば、傾斜１４０はまず、傾斜１４０の角度に対して相補形である１次ラッチ１２０の面取りした前縁部２７４に係合することができる。
図示の段階では、１次ラッチ１２０は完全に偏向した位置にあり、それによりラッチ１２０の底面２４０は、傾斜１４０とキャッチ面１３６との間にあるリブ１２４の上面１３８の平面の頂上２７６上に位置する。リブ１２４が１次ラッチ１２０のラッチ面２５８を越えて動くと、傾斜１４０はアクチュエータ１６２のポスト２１０に係合する。図示の実施形態では、ポスト２１０は、傾斜１４０を補完する面取りした下縁部２７８を有する。したがって、オスハウジング１０８が嵌合方向２７２に動くことで、面取りした下縁部２７８は傾斜１４０に沿って摺動し、アクチュエータ１６２を通過可能位置の方へ徐々に持ち上げる。
【００４１】
図１０のＣＰＡ要素１１８は解放位置にあり、ハウジング１１０に対して旋回させられている。オスハウジング１０８のリブ１２４の動きに対する代わりまたは追加として、ＣＰＡ要素１１８の旋回を使用して、１次ラッチ１２０を偏向させることができる。たとえば、ＣＰＡ要素１１８を旋回させて、ラッチ１２０をリブ１２４の経路から上方へ偏向させることができ、それにより、オスハウジング１０８が嵌合方向２７２に動かされたとき、リブ１２４がラッチ１２０に係合しなくなる。ＣＰＡ要素１１８はまた、リブ１２４の傾斜１４０の上部のみがラッチ１２０に係合するように旋回させることができ、したがってＣＰＡ要素１１８およびリブ１２４の両方が、１次ラッチ１２０に力を印加してラッチ１２０を偏向させる。ＣＰＡ要素１１８は旋回状態で示されているが、オスハウジング１０８は１次ラッチ１２０を偏向させるのにＣＰＡ要素１１８の助けを必要としないため、嵌合操作中にＣＰＡ要素１１８を旋回させる必要はないことを理解されたい。
【００４２】
図１１〜１３は、図６に概略的に示す最終嵌合段階におけるハウジングアセンブリ１４６およびオスハウジング１０８の部分の様々な図を示し、アクチュエータ１６２が通過可能位置にあり、ＣＰＡ要素１１８がロック位置にある。図１１は、図３に示す線９−９に沿ったハウジングアセンブリ１４６およびオスハウジング１０８の一部分の断面図である。図１２は、図３に示す線８−８に沿ったハウジングアセンブリ１４６およびオスハウジング１０８の一部分の断面図である。図１３は、ハウジングアセンブリ１４６の一部分の側面図である。
【００４３】
図１１を参照すると、オスハウジング１０８は、メスハウジング１１０内に完全に装入されており、それにより１次ラッチ１２０は偏向しておらず、１次ラッチ１２０のラッチ面２５８はリブ１２４のキャッチ面１３６に係合して、メスハウジング１１０をオスハウジング１０８に固定する。アクチュエータ１６２のポスト２１０は、リブ１２４の上面１３８に沿って頂上２７６上に位置し、それによりアクチュエータ１６２を通過可能位置で保持する。アクチュエータ１６２が通過可能位置にあるため、ＣＰＡ要素１１８は解放位置からロック位置へ動くことが可能になっている。ロック位置で、ＣＰＡ要素１１８のベース２１２の少なくとも大部分は、１次ラッチ１２０の上に配置されており、ハウジング１１０の後端１３０から後方へ突出しない。そのような位置で、ＣＰＡ要素１１８は旋回可能でない。なぜなら、ベース２１２がラッチ１２０および／または肩部２５４に当接し、そのような動きを阻止するからである。
【００４４】
図１２で、断面は、アクチュエータ１６２の第１の脚部１９２およびＣＰＡ要素１１８の第１のランナ２１４を通って延びる。図示の実施形態は、図６に示す概略図に類似している。第１の脚部１９２は、戻り止め２２２と段２２６との間でランナ２１４の上面２１８上に位置する。図１３は、完全に偏向した状態にある第１の側壁１７２のカンチレバービーム１８４を示す。たとえば、アクチュエータ１６２を通過可能位置へ上昇させるためにオスハウジング１０８がアクチュエータ１６２に作用させる力は、カンチレバービーム１８４によってアクチュエータ１６２の棚状部２０２に作用される下向きの付勢力に打ち勝つ。カンチレバービーム１８４は、アクチュエータ１６２が阻止位置にあるときの図７に示すビーム１８４の位置に対して、ハウジング１１０の上端１７６の方へ上方に偏向する。
カンチレバービーム１８４は、棚状部２０２に対する付勢力を維持し、それによりカンチレバービーム１８４は、オスハウジング１０８によってアクチュエータ１６２に作用される力が除去された後、アクチュエータ１６２を通過可能位置から阻止位置へ動かす。
【００４５】
一実施形態では、ＣＰＡ要素１１８を使用して、オスハウジング１０８をメスハウジング１１０から結合解除して取り外すことができる。たとえば、図１１および図１２を参照すると、ベース２１２に係合し、ＣＰＡ要素１１８をロック解除方向２８０に解放位置の方へ摺動させることによって、ＣＰＡ要素１１８をロック位置から解放位置へ動かすことができる。戻り止め２２２は、アクチュエータ１６２に係合し、戻り止め２２２がアクチュエータ１６２を越えて動くときに操作者に感覚フィードバックを与えるわずかな量の抵抗を提供する。解放位置に入った後、図１０に示すように、ＣＰＡ要素１１８は旋回させられて、１次ラッチ１２０を持ち上げ、それによりラッチ面２５８が、リブ１２４のキャッチ面１３６を解除する。
偏向した１次ラッチ１２０のラッチ面２５８がキャッチ面１３６の上に配置された状態で、オスハウジング１０８をメスハウジング１１０に対して嵌合解除方向２８２に動かし、オスコネクタ１０２（図１に示す）をメスコネクタ１０４（図１）から取り外すことが可能である。
【００４６】
図１４は、ハウジングアセンブリ１４６の代替実施形態による図３に示す線８−８に沿った嵌合前段階におけるハウジングアセンブリ１４６の一部分の断面図である。図４〜１３に示す実施形態とは異なり、図示の実施形態では、ＣＰＡ要素１１８の解放位置は、オスコネクタ１０２およびメスコネクタ１０４（どちらも図１に示す）がともに完全に嵌合されていることを示すコネクタシステム１００（図１に示す）の保証位置を表す。図１４は、オスコネクタ１０２がハウジング１１０内に受け取られる前の嵌合前段階を表す。アクチュエータ１６２は阻止位置にあり、ＣＰＡ要素１１８はロック位置にある。阻止位置にあるアクチュエータ１６２は、ＣＰＡ要素１１８がロック位置から解放位置へ動くのを阻止する。
たとえば、第１のランナ２１４は、戻り止め２２２（図１２に示す）の代わりにキャッチ３０２を含む。この実施形態による阻止位置で、第１の脚部１９２は、第１のランナ２１４の上面２１８に係合し、したがってＣＰＡ要素１１８をロック解除方向２８０に解放位置の方へ動かそうとすると、キャッチ３０２が脚部１９２に当接することによって阻止される。アクチュエータ１６２が阻止位置から通過可能位置へ上方に移動することだけが、ＣＰＡ要素１１８がロック解除方向２８０に摺動することを可能にする。キャッチ３０２が脚部１９２の下を動くためである。
【００４７】
一実施形態では、オスコネクタ１０２（図１に示す）をハウジング１１０から取り外した後、ＣＰＡ要素１１８をロック方向２４８にロック位置へ戻すことによって、ハウジングアセンブリ１４６をリセットすることができる。ランナ２１４、２１６の遠位端２２４がアクチュエータ１６２を越えて延びるように、脚部１９２、１９４は、面取りした後縁部３０４を画定する（図１４では第１の脚部１９２の縁部３０４のみを見ることができる）。ランナ２１４、２１６は、ＣＰＡ要素１１８がアクチュエータ１６２に対してロック方向２４８に動かされるとき、面取りした後縁部３０４に係合してアクチュエータ１６２をランナ２１４、２１６の経路から持ち上げるように構成された相補形の面取りした前縁部３０６を画定する。
【００４８】
上記の説明は、制限ではなく例示であることが意図されることを理解されたい。たとえば、前述の実施形態（および／またはそれらの態様）は、互いに組み合わせて使用することができる。追加として、特定の状況または材料を本発明の教示に適合させるために、本発明の範囲から逸脱することなく、多くの修正を加えることができる。本明細書に記載する寸法、材料のタイプ、様々な構成要素の向き、ならびに様々な構成要素の数および位置は、特定の実施形態のパラメータを規定することが意図され、決して限定ではなく、単なる例示的な実施形態である。特許請求の範囲の精神および範囲内の多くの他の実施形態および修正形態は、上記の説明を読めば当業者には明らかであろう。したがって、本発明の範囲は、添付の特許請求の範囲を参照して、そのような特許請求の範囲に与えられる均等物の完全な範囲とともに決定されるべきである。
【図１】
2019505070.tif 000003
【図２】
2019505070.tif 000004
【図３】
2019505070.tif 000005
【図４】
2019505070.tif 000006
【図５】
2019505070.tif 000007
【図６】
2019505070.tif 000008
【図７】
2019505070.tif 000009
【図８】
2019505070.tif 000010
【図９】
2019505070.tif 000011
【図１０】
2019505070.tif 000012
【図１１】
2019505070.tif 000013
【図１２】
2019505070.tif 000014
【図１３】
2019505070.tif 000015
【図１４】
2019505070.tif 000016
【国際調査報告】
2019505070.tif 000017
2019505070.tif 000018